(57)【要約】      （修正有）【課題】重量が嵩む理化学機器であっても、その昇降操作を容易に行うことができると共に、任意の高さ位置で容易に停止させることができる理化学機器用スタンドを提供する。【解決手段】理化学機器を取り付けるホルダー１０と、ホルダーをスライダ１４により上下動可能に支持する支持部２０とからなる理化学機器用スタンドであり、支持部の上部に定荷重バネ３０を設け、定荷重バネの端部３１をホルダー１０に固定すると共に、ホルダーに支持部の任意の高さ位置にホルダーを停止させるブレーキ機構４０を設けた。ブレーキ機構は、ホルダーに進退可能に設けられて支持部に圧接される係止部材と、係止部材を支持部方向に付勢するスプリングと、係止部材をスプリングの付勢力に抗して支持部から離反させるハンドルとで構成されている。【選択図】図３
0003208384.tif 000002
【実用新案登録請求の範囲】
【請求項１】
理化学機器を取り付けるホルダーと、該ホルダーを上下動可能に支持する支持部とからなる理化学機器用スタンドにおいて、上記支持部の上部に定荷重バネを設け、該定荷重バネの端部を上記理化学機器を取り付けるホルダーに固定すると共に、上記ホルダーに上記支持部の任意の高さ位置に該ホルダーを停止させるブレーキ機構を設けたことを特徴とする、理化学機器用スタンド。
【請求項２】
上記支持部を中空角部材で構成し、該中空角部材内を上下に摺動するスライダを配設し、該スライダに理化学機器を取り付ける上記ホルダーを固定すると共に、該スライダに中空角部材からなる支持部内の上部に配設された上記定荷重バネの端部を固定したことを特徴とする、請求項１に記載の理化学機器用スタンド。
【請求項３】
上記ブレーキ機構が、上記ホルダーに進退可能に設けられて上記支持部に圧接される係止部材と、該係止部材を上記支持部方向に付勢するスプリングと、前記係止部材を前記スプリングの付勢力に抗して上記支持部から離反させるハンドルとで構成されていることを特徴とする、請求項１又は２に記載の理化学機器用スタンド。
【請求項４】
上記支持部に上記ホルダーの下動限界位置を定めるストッパー機構が設けられていることを特徴とする、請求項１〜３のいずれかに記載の理化学機器用スタンド。
【請求項５】
上記ストッパー機構が、上記支持部に上下方向に設けた複数の係合穴と、上記支持部に外嵌されて上下方向に摺動可能な枠体と、該枠体に進退可能に設けられて上記支持部に形成された係合穴に係合する突起と、該突起を上記支持部の係合穴方向に付勢するスプリングと、前記突起を前記スプリングの付勢力に抗して上記支持部の係合穴から離反させるハンドルとで構成されていることを特徴とする、請求項４に記載の理化学機器用スタンド。
【請求項６】
上記ホルダーに一端部が固定され、他端部が上記支持部に固定されて、上記ホルダーに取り付けられた理化学機器の電源コード等のケーブルをＵ字状に湾曲した形状に維持するケーブルキャリアが設けられていることを特徴とする、請求項１〜５のいずれかに記載の理化学機器用スタンド。
【考案の詳細な説明】
【技術分野】
【０００１】
本考案は、理化学機器用スタンドに関するもので、より詳しくは、取り付けた理化学機器を容易に昇降動できると共に、任意の高さ位置で容易に停止させることができる理化学機器用スタンドに関するものである。
【背景技術】
【０００２】
従来より、超音波発生機、攪拌機、滴下装置等の比較的重量物の理化学機器を、上下方向に移動可能に取り付ける理化学機器用スタンドが存在する。
かかる理化学機器用スタンドは、一般的に、理化学機器を取り付けるホルダーと、該ホルダーを上下動可能に支持する支持部と、前記ホルダーを前記支持部に固定するロック機構とを備え、前記ロック機構の摘みや操作レバーを回動してロックを解除し、取り付けた理化学機器の高さ位置の調整を行うものである。
【０００３】
しかしながら、上述した従来の理化学機器用スタンドにあっては、重量の嵩む超音波発生機等をホルダーに取り付けた場合、その重量を手で支えながら上下動を行わなければならず、その操作は困難なものであった。また、ロック機構は、重量物を定位置に支持、固定する必要があることから、その固定はホルダーを支持部に固定するローレットネジ、蝶ネジ等を強く支持部に向けて締め付ける、或いはピンを支持部に設けられた穴に差し込む等の信頼性の高い手段を用いて行う必要があり、その操作性は必ずしも良好なものではなく、また任意の高さ位置に固定できるものではなかった。
【考案の概要】
【考案が解決しようとする課題】
【０００４】
本考案は、上述した従来の理化学機器用スタンドが有する課題に鑑みなされたものであって、その目的は、重量が嵩む理化学機器であっても、その昇降操作を容易に行うことができると共に、任意の高さ位置で容易に停止させることができる理化学機器用スタンドを提案することにある。
【課題を解決するための手段】
【０００５】
上記課題を解決するため、本考案は、次の〔１〕〜〔６〕に記載した理化学機器用スタンドとした。
〔１〕理化学機器を取り付けるホルダーと、該ホルダーを上下動可能に支持する支持部とからなる理化学機器用スタンドにおいて、上記支持部の上部に定荷重バネを設け、該定荷重バネの端部を上記理化学機器を取り付けるホルダーに固定すると共に、上記ホルダーに上記支持部の任意の高さ位置に該ホルダーを停止させるブレーキ機構を設けたことを特徴とする、理化学機器用スタンド。
〔２〕上記支持部を中空角部材で構成し、該中空角部材内を上下に摺動するスライダを配設し、該スライダに理化学機器を取り付ける上記ホルダーを固定すると共に、該スライダに中空角部材からなる支持部内の上部に配設された上記定荷重バネの端部を固定したことを特徴とする、上記〔１〕に記載の理化学機器用スタンド。
〔３〕上記ブレーキ機構が、上記ホルダーに進退可能に設けられて上記支持部に圧接される係止部材と、該係止部材を上記支持部方向に付勢するスプリングと、前記係止部材を前記スプリングの付勢力に抗して上記支持部から離反させるハンドルとで構成されていることを特徴とする、上記〔１〕又は〔２〕に記載の理化学機器用スタンド。
〔４〕上記支持部に上記ホルダーの下動限界位置を定めるストッパー機構が設けられていることを特徴とする、上記〔１〕〜〔３〕のいずれかに記載の理化学機器用スタンド。
〔５〕上記ストッパー機構が、上記支持部に上下方向に設けた複数の係合穴と、上記支持部に外嵌されて上下方向に摺動可能な枠体と、該枠体に進退可能に設けられて上記支持部に形成された係合穴に係合する突起と、該突起を上記支持部の係合穴方向に付勢するスプリングと、前記突起を前記スプリングの付勢力に抗して上記支持部の係合穴から離反させるハンドルとで構成されていることを特徴とする、上記〔４〕に記載の理化学機器用スタンド。
〔６〕上記ホルダーに一端部が固定され、他端部が上記支持部に固定されて、上記ホルダーに取り付けられた理化学機器の電源コード等のケーブルをＵ字状に湾曲した形状に維持するケーブルキャリアが設けられていることを特徴とする、上記〔１〕〜〔５〕のいずれかに記載の理化学機器用スタンド。
【考案の効果】
【０００６】
上記した本考案にかかる理化学機器用スタンドによれば、支持部の上部に定荷重バネを設け、該定荷重バネの端部を理化学機器を取り付けるホルダーに固定する共に、上記ホルダーに上記支持部の任意の高さ位置に該ホルダーを停止させるブレーキ機構を設けた構成としたので、重量が嵩む理化学機器であっても、その昇降操作を容易に行うことができると共に、任意の高さ位置で容易に取り付けた理化学機器を停止させることができる理化学機器用スタンドとなる。
【図面の簡単な説明】
【０００７】
【図１】本考案にかかる理化学機器用スタンドの一実施形態を示した正面側斜視図である。
【図２】図１に示した理化学機器用スタンドの背面側斜視図である。
【図３】図１に示した理化学機器用スタンドの支持部の背面カバーを取り外した状態を示した背面側斜視図である。
【図４】図２のＸ−Ｘ線に沿う部分の縦断面図である。
【図５】スライダの一実施形態を示した斜視図である。
【図６】図１に示した理化学機器用スタンドの平面図である。
【図７】図６のＹ−Ｙ線に沿う部分の部分断面図である。
【図８】図１に示した理化学機器用スタンドの平面図である。
【図９】図８のＺ−Ｚ線に沿う部分の部分断面図である。
【図１０】図１に示した理化学機器用スタンドの背面側斜視図及び要部拡大図である。
【図１１】図１０のＷ−Ｗ線に沿う部分の拡大断面図である。
【図１２】図１０のＷ−Ｗ線に沿う部分の拡大断面図である。
【図１３】図１に示した理化学機器用スタンドに超音波発生機を取り付けた状態を示した正面側斜視図である。
【考案を実施するための形態】
【０００８】
以下、本考案にかかる理化学機器用スタンドの一実施形態を、図面に従って詳細に説明する。
【０００９】
本考案にかかる理化学機器用スタンド１は、理化学機器を取り付けるホルダー１０と、該ホルダー１０を上下動可能に支持する支持部２０とからなる。
上記ホルダー１０は、理化学機器を取り付けることができ、且つ、支持部２０に対して上下動可能に装着できるものであれば、その構成は何ら限定されるものではなく、また上記支持部２０も、ホルダー１０を上下動可能に安定的に支持できるものであれば、その構成は何ら限定されるものではない。図示した実施形態のものにあっては、ホルダー１０は、平面視略コ字形状をなした板体からなり、その基部１１において上記支持部２０に支持され、両側壁１２，１２に理化学機器を取り付けるためのスリット１３，１３がそれぞれ形成されたものに構成されている。また、支持部２０は、ベース２１と、該ベース２１に立設された支柱２２とから構成されている。
【００１０】
上記支持部の支柱２２は、図示した実施形態のものにあっては、中空角部材で構成され、図３に示したように該中空角部材内を上下に摺動するスライダ１４が配設され、該スライダ１４に上記ホルダーの基部１１がボルト１５によって取り付けられている。ホルダー１０の取付部は、図２に示したように該ホルダー１０が上下に移動できるように支柱２２に長孔２３が穿設され、この長孔２３を通じてホルダー１０が上記スライダ１４に取り付けられ、ホルダー１０がスライダ１４と共に一体で上下動するように構成されている。また、中空角部材からなる支柱２２の上部にはバネ箱２４が設けられ、該バネ箱２４内に定荷重バネ３０が装着され、この定荷重バネの端部３１が上記スライダ１４の上端に固定されている。
【００１１】
上記定荷重バネ３０は、上記スライダ１４を含むホルダー１０に取り付けられた理化学機器等の全ての重量にバランスする付勢力を有する帯状のバネで、軸に巻き掛けられ、その端部３１が上記したようにスライダ１４の上端に固定されている。この定荷重バネ３０は、ホルダー１０を下降させると図４に示したように引き出され、ホルダー１０を上昇させる際に、巻き戻される付勢力で取り付けた理化学機器を上昇させるので、大きな力を要さずに上昇させることができる。
【００１２】
また、支柱２２を中空角部材として該部材内をスライダ１４を上下に摺動するようにし、且つ支柱２２内の上部に定荷重バネ３０を収納したことで、摺動部にゴミの侵入・付着による摺動障害の発生が回避されると共に、外観上の体裁も良好なものとなる。また、スライダ１４をスムースに中空角部材内を摺動させるための、車輪又はコロ等をスライダに付加することも容易となる。図４及び図５に示した実施形態のものにあっては、スライダ１４は、中空角部材内を片持ち重量を支えてスムースに摺動するために上下方向に適当な長さを持つ矩形の板体に形成され、支柱内壁にはスライドレール２５が配設され、該スライドレール２５との摺動部に車輪１６を装着して安定的に上下方向に移動し得るものにしている。
【００１３】
上記ホルダー１０には、上記支持部２０の任意の高さ位置に該ホルダー１０を停止させるためのブレーキ機構４０が設けられている。該ブレーキ機構４０は、上記ホルダー２に進退可能に設けられて上記支持部２０に圧接される係止部材４１と、該係止部材４１を上記支持部方向に付勢するスプリング４２と、前記係止部材４１を前記スプリング４２の付勢力に抗して上記支持部２０から離反させるハンドル４３とで構成されていることが好ましい。
【００１４】
図示した実施形態のものにあっては、ホルダー１０の前方に、ホルダーの両側壁１２，１２間を跨ぐ状態に平面視略コ字形状をなしたグリップ部材４４が装着され、該グリップ部材の一側杆４５とホルダーの側壁１２との間に、上記係止部材４１が前後方向に摺動可能に設けられている。そして、係止部材４１は、その先端に上記支持部２０に当接する摩擦力の高いゴム製パッド４６が装着され、後端に上記ハンドル４３が設けられている。上記スプリング４２は、ホルダーの側壁１２に設けられたブラケット１７と係止部材の上記ゴム製パッド４６との間に縮設され、係止部材のゴム製パッド４６を支持部の壁面２６に圧接する方向に付勢している。上記ハンドル４３は、引っ張ることにより係止部材４１を後退させ、前記スプリング４２の付勢力に抗して上記支持部の壁面２６からゴム製パッド４６を離反させる
【００１５】
上記のように構成することにより、ハンドル４３を引っ張れば、図６及び図７に示したようにホルダー１０の移動を規制するブレーキ機構４０を解除でき、この状態で、ホルダー１０をグリップ部４７を持って定荷重バネ３０の付勢力を利用して容易に上下動させることができる。所望の高さにホルダー１０を移動させたら、ハンドル４３を離せば、図８及び図９に示したようにスプリング４２の付勢力により係止部材のゴム製パッド４６が支持部の壁面２６に圧接され、ブレーキ機構４０が働き、ホルダー１０を所望の高さ位置に容易に停止させることができ、また、定荷重バネ３０の付勢力により重量のバランスがとられているため、このようなブレーキ機構４０によってホルダー１０を支持部２０に対して充分に支持、固定させることができる。
【００１６】
また、上記支持部２０には、上記ホルダー１０の下動限界位置を定めるストッパー機構５０が設けられている。このストッパー機構５０は、ホルダー１０の所定高さ以下への移動を阻止し、取り付けた理化学機器、またベース２１上に置いた試験器具等の損傷を防止できる構成のものであれば、その構成は何ら限定されるものではない。図示した実施形態のものにあっては、上記ストッパー機構５０は、支持部である支柱２２に上下方向に設けた複数の係合穴５１と、支柱２２に外嵌されて上下方向に摺動可能な枠体５２と、該枠体５２に進退可能に設けられて上記支柱２２に形成された係合穴５１に嵌入する突起５３と、該突起５３を上記支持部の係合穴５１方向に付勢するスプリング５４と、前記突起５３を前記スプリング５４の付勢力に抗して上記支持部の係合穴５１から離反させるハンドル５５とで構成されている。
【００１７】
上記したようにストッパー機構５０を構成した場合には、図１１に示したようにハンドル５５を押せば突起５３が支持部の係合穴５１から離反し、枠体５２が支柱２２に沿って移動し得るものとなり、枠体５２を支柱２２の所望とする高さ位置に移動させることができる。所望の高さ位置に枠体５２を移動させたら、ハンドル５５を離せば、図１２に示したようにスプリング５４の付勢力により突起５３を上記支持部の係合穴５１に嵌入させることができ、枠体５２を支柱２２の所望の高さ位置に固定させることができる。枠体５２が支柱２２に固定されると、該支柱２２に沿って上下方向に摺動可能に設けたホルダー１０は、該枠体５２に当接することによりその下方への移動が規制され、ホルダー１０に取り付けた理化学機器、またベース２１上に置いた試験器具等の衝突による損傷を防止することができる。
【００１８】
また、図示した実施形態にかかる理化学機器用スタンド１にあっては、ホルダー１０に取り付けた理化学機器の電源コード等のケーブルを、邪魔となることなく、また見栄え良く収納するため、ケーブルキャリア６０が取り付けられている。このケーブルキャリア６０は、図１３に示したように上記ホルダー１０に一端部６１が固定され、他端部６２が、上記支持部であるベース２１に立設されたケーブル収納杆２７の上端に固定されて、上記ホルダーに取り付けられた理化学機器Ｐの電源コード等のケーブルＫを、Ｕ字状に湾曲した形状に維持して収納する構成とされている。
【００１９】
上記した本考案にかかる理化学機器用スタンド１は、支持部２０の上部に定荷重バネ３０を設け、該定荷重バネの端部３１を理化学機器を取り付けるホルダー１０に固定する構成としたので、重量が嵩む理化学機器であっても、その昇降操作を容易に行うことができるものとなる。
また、上記ホルダー１０に上記支持部２０の任意の高さ位置に該ホルダーを停止させるブレーキ機構４０を設けた構成としたので、任意の高さ位置で容易に取り付けた理化学機器を停止させることができるものとなる。
このように本考案にかかる理化学機器用スタンドは、シンプルな構成であって、老若男女を問わず、力を必要としない簡単な操作で、理化学機器を任意の高さ位置に移動させてその位置に固定することができる、大変に有用なものである。
【００２０】
以上、本考案にかかる理化学機器用スタンドの実施形態を説明したが、本考案は、何ら既述の実施形態に限定されるものではなく、実用新案登録請求の範囲に記載した本考案の技術的思想の範囲内において、種々の変更を加えた実施形態とすることが可能であることは当然である。
【産業上の利用可能性】
【００２１】
本考案にかかる理化学機器用スタンドは、昇降操作を容易に行うことができると共に、任意の高さ位置で容易に停止させることができるものであるので、超音波発生機、攪拌機、滴下装置等の比較的重量物の理化学機器を取り付けるスタンドとして、広く使用することができ、その産業上の利用可能性は非常に高いものである。
【符号の説明】
【００２２】
１    理化学機器用スタンド
１０    ホルダー
１１    ホルダーの基部
１２    ホルダーの側壁
１３    スリット
１４    スライダ
１５    ボルト
１６    車輪
１７    ブラケット
２０    支持部
２１    支持部のベース
２２    支持部の支柱
２３    長孔
２４    バネ箱
２５    スライドレール
２６    支持部の壁面
２７    ケーブル収納杆
３０    定荷重バネ
３１    定荷重バネの端部
４０    ブレーキ機構
４１    係止部材
４２    スプリング
４３    ハンドル
４４    グリップ部材
４５    グリップ部材の一側杆
４６    ゴム製パッド
４７    グリップ部
５０    ストッパー機構
５１    係合穴
５２    枠体
５３    突起
５４    スプリング
５５    ハンドル
６０    ケーブルキャリア
６１    ケーブルキャリアの一端部
６２    ケーブルキャリアの他端部
Ｐ    理化学機器
Ｋ    電源ロード等のケーブル
【図１】
0003208384.tif 000003
【図２】
0003208384.tif 000004
【図３】
0003208384.tif 000005
【図４】
0003208384.tif 000006
【図５】
0003208384.tif 000007
【図６】
0003208384.tif 000008
【図７】
0003208384.tif 000009
【図８】
0003208384.tif 000010
【図９】
0003208384.tif 000011
【図１０】
0003208384.tif 000012
【図１１】
0003208384.tif 000013
【図１２】
0003208384.tif 000014
【図１３】
0003208384.tif 000015